(57)【要約】【課題】回転を阻害するような抵抗を発生させることなしに水や埃の侵入を防止できる構造の簡素化されたシール構造体を提案する。【解決手段】脚部を介して接地する基台１と、この基台１に回転可能に連結保持されるケーシング２と、前記基台１とケーシング２との合わせ面に配置されその相互間からの水の侵入を防止するシール部材３とを備えたシール構造体において、前記基台１とケーシング２との合わせ面に、該基台１及びケーシング２の近接配置にて横向き及びこれにつながる縦向きの極微小な隙間を形成してその最も奥側に該シール部材３を位置せしめるためのシール空間４を設ける。【選択図】図２
2007183209.tif 000002
【特許請求の範囲】
【請求項１】
脚部を介して接地する基台と、この基台に回転可能に連結保持されるケーシングと、前記基台とケーシングとの合わせ面に配置されその相互間からの水の侵入を防止するシール部材とを備え、
前記基台とケーシングとの合わせ面に、該基台及びケーシングの近接配置にて横向き及びこれにつながる縦向きの極微小な隙間を形成しその最も奥側に該シール部材を位置せしめるシール空間を設けたことを特徴とするシール構造体。
【請求項２】
前記シール部材は、基台の外径よりも小さな径を有し、該基台の外周面にて嵌合保持される内端と、ケーシングの内周面に当接させてケーシングの回転に伴ってその端縁を該内周面にて摺動させる外端とを有するドーナツ状の薄肉シートからなる、請求項１記載のシール構造体。
【発明の詳細な説明】
【技術分野】
【０００１】
本発明は、シール構造体に関するもので、基台とこの基台に回転可能に保持されるケーシングとの相互間からの水分や塵、埃の侵入を確実に回避しようとするものであり、以下、建築、土木分野で多用されるレーザー墨出し器を例にとって説明する。
【背景技術】
【０００２】
建築や土木等の現場で行われる墨出し作業においては、近年、照射器より照射されたレーザービームを、距離を隔てて配置された受光器で受光するレーザー墨出し器が多用されるようになってきており、これにより、正確でしかも効率的な作業が可能になってきている。
【０００３】
上記の墨出し器のうち、レーザー照射器は、三脚を介して床面に固定、設置される基台と、この基台に回転可能に載置され、その内部にレーザー光を照射するための部品を組み込んだケーシングからなっている。
【０００４】
ところで、この種の機器は、固定状態にある基台の上でケーシングをスムーズに回転させるために、その相互間にある程度のクリアランスを設けることが不可欠になるが、このクリアランスを通してケーシング内に水や塵が侵入することが懸念（ケーシングの円滑な回転が阻害され微調整時の操作が困難となる）され、その解決が望まれていた。
【０００５】
この点に関する先行技術としては、固定部材と、この固定部材の上部で回転する回転部材と、固定部材に回転可能に嵌合するとともに、外周上に凸部を有し押圧部材により固定部材に緊締される緊締環とを備えた測量機につき、回転部材と緊締環との間に、全周にわたって回転部材及び緊締環の両方に当接させるか又はいずれか一方に固定され他方に当接するように、環状に形成された防水部材を配置した構造のものが提案されている（例えば特許文献１参照）が、上記従来構造のものは、部品点数が多く、その構造も複雑なものとなっており分解、組み立てが煩雑であるうえ、固定部材と回転部材とをある程度の強さで接触させる構造を採らざるを得ないので回転時の抵抗が大きく、墨出し作業において必要とされる微調整機構が作用しなくなるという弊害があり、未だ改善の余地が残されていた。
【特許文献１】実公平７─２５６１９号公報
【発明の開示】
【発明が解決しようとする課題】
【０００６】
本発明の課題は、構造が簡単で上述のような弊害を回避できる防水、防塵効果の高いシール構造体を提案するところにある。
【課題を解決するための手段】
【０００７】
本発明は、脚部を介して接地する基台と、この基台に回転可能に連結保持されるケーシングと、前記基台とケーシングとの合わせ面に配置されその相互間からの水の侵入を防止するシール部材とを備え、
前記基台とケーシングとの合わせ面に、該基台及びケーシングの近接配置にて横向き及びこれにつながる縦向きの極微小な隙間を形成してその最も奥側に該シール部材を位置せしめるシール空間を設けたことを特徴とするシール構造体である。
【０００８】
上記の構成になるシール構造体において、前記シール部材は、基台の外径よりも小さな径を有し、該基台の外周面にて嵌合保持される内端と、ケーシングの内周面に当接させてケーシングの回転に伴ってその端縁を該内周面にて摺動させる外端とを有するドーナツ状の薄肉シートからなるものがとくに有利に適合する。
【０００９】
前記薄肉シートは、基台の外周面への嵌合にて該薄肉シート全体を径方向に斜め下向きに指向させる伸縮性素材からなるものが適用される。
【００１０】
また、前記基台には、薄肉シートのシート面と接して該薄肉シートをガイドする傾斜溝部を設けることができる。
【発明の効果】
【００１１】
基台とケーシングとの合わせ面にシール空間を設けることで塵や水分が直接シール部材に接触するのを防ぐことが可能となり、ケーシングの円滑な回転が長期にわたって持続される。
【発明を実施するための最良の形態】
【００１２】
以下、図面を用いて本発明をより具体的に説明する。
図１は本発明にしたがうシール構造体を適用した墨出し用レーザー照射器を模式的に示したものであり、図２はその要部を拡大して示した図である。
【００１３】
図における１は三脚等を介して床面に配置される基台である。この基台１の上端に位置する筒体1aの外周面にはシール部材を配置するための溝部1bが設けられており（図２参照）、その内部には軸受けを構成するリング1cが配置されている。
【００１４】
また、２は基台１に回転可能に連結保持されるケーシングである。このケーシング２はその内部にレーザー光を照射するための機器が配置されているとともに、基台１のリング1cに嵌り込んでケーシング２を回転可能に保持するベース２ａが組み込まれている。このベース2aの外縁には下向に開放され、基台1の筒体1aを収納する環状溝部2bが設けられている（図２参照）。
【００１５】
３は基台１とケーシング２との合わせ面（基台１の筒体1aとこれを収納するケーシング２の環状溝部2bの間）に配置されその相互間からの水分等の侵入を防止するシール部材である。
【００１６】
シール部材３はその外観斜視図を図３に示すようにドーナツ状の薄肉シートからなっており、基台１の筒体1aの外径（実際には溝部1bの底径に対応する）Ｄよりも小さな内径ｄを有し該基台２の外周面にて嵌合保持される内端3aと、ケーシング２のベース2a（環状溝部2bの内周面）に当接させその回転に伴って端縁を該ベース2aにて摺動させる外端3bとを有している。
【００１７】
また、４は基台１とケーシング２との合わせ面に形成されたシール空間である。このシール空間４は該基台１及びケーシング２の近接配置によって形成されるもので、横向きの微小な隙間4aとこれに引き続く縦向きの微小な隙間4b、さらに該縦向きの微小な隙間4bに続く横向きの微小な隙間4cからなり、この微小な隙間4a、4b、4cの最も奥側にシール部材３が位置する。
【００１８】
上記のような構成になるシール部材３を基台２に装着すると、ケーシング２を回転させたときシール部材３の外端3bはケーシング２に当接し液密状態を保ったまま摺動させることが可能となる。
【００１９】
また、シール部材３をシール空間４の最も奥側に位置せしめることにより、ケーシング２の回転を阻害するような水分や塵等がシール部材３までは到達することがなくなりケーシング２の円滑な回転が長期にわたって維持されることになる。
【００２０】
図４は本発明に従うシール構造体の他の実施の形態を要部について示した図である。基台１とケーシング２との合わせ面に形成されるシール空間４は横向きの微小な隙間4aの途中に縦向きの微小な隙間4bを存在させ、さらに、その上端から横向きの微小な隙間4cを存在させることもでき、その組み合わせは適宜任意に設定される。
【００２１】
シール部材３については伸縮性を有する例えば、テフロン（登録商標）、ポリプロピレン、ポリエチレン、ポリオキシメチレン、塩化ビニル、エラストマー等の樹脂あるいはゴム等の如き素材にて構成すると、基台１の溝部１ａに嵌合させたとき該シール部材３の内端３ａが押し広げられるため図２、４に示したようにシール部材３の全体が径方向に斜め下向きに指向させることができ（傘状に変形する）、これにより返り効果（逆止弁効果）をもたせることが可能となるのでシール性がより一層高められる。
【００２２】
シール部材３を径方向に斜め下向きに指向させて基台１に取り付ける場合、該シール部材３が基台１に安定して嵌合保持されるように、溝部１ａにあらかじめ傾斜面を形成しておく。
【００２３】
シール部材３を傘状に変形させて防水効果を得る場合、基台１の外径（溝部１ａの底径）Ｄはシール部材３の内径ｄよりも小さくし、ケーシング２の内径はシール部材３の外径と同じにするか、あるいはそれよりも大きくするのがよい。とくにシール部材３を柔軟性のある素材にて構成するとそれ自体容易に変形することができるので厳しい寸法公差が要求されない利点がある。
【００２４】
レーザー墨出し器を構成する部材に合成樹脂製のものが多用されているが、合成樹脂は温度変化に対して寸法が変化しやすいので、例えば、回転機構を構成するベース2aが合成樹脂である場合、該墨出し器が高温環境下で使用されると該ベース2aが膨張しシール部材３を介在させている部分の隙間が広くなり、シール部材３の接触が緩くなって水分や塵が侵入し易い状況になる一方、逆に低温環状下で使用されるとベース2aが収縮してシール部材３を介在させている隙間が狭くなり、シール部材３との接触がきつくなってケーシング２の円滑な回転が妨げられるという弊害が生じることが懸念される。
【００２５】
このような弊害が懸念される場合には、ベース2aを、温度による寸法の変化が樹脂に比べて小さい金属製のものに代替する。金属としてはアルミニウム、鉄、亜鉛、マグネシウム、真鍮あるいはステンレス等が採用でき、これにより寸法が安定し温度変化があってもシール部材３との接触が均一になる。
【００２６】
シール空間４は横向きの微小隙間と縦向きの微小隙間を組み合わせた例で示したが、傾斜角度のついた隙間を組み合わせてもよいのはいうまでもない。
【産業上の利用可能性】
【００２７】
回転部材（ケーシング）の回転を阻害することなしに水や埃の侵入を確実に防止できる構造の簡素化されたシール構造体が提供できる。
【図面の簡単な説明】
【００２８】
【図１】本発明にしたがうシール構造体の実施の形態を示した図である。
【図２】図１の要部拡大図である。
【図３】シール部材の外観斜視図である。
【図４】本発明にしたがうシール構造体の他の例を要部について示した図である。
【符号の説明】
【００２９】
１  基台
1a  筒体
1b  溝部
1c  リング
２  ケーシング
2a  ベース
2b  環状溝部
３  シール部材
3a  内端
3b  外端
4  シール空間
4a  横向きの微小な隙間
4b  縦向きの微小な隙間
4c  横向きの微小な隙間
【図１】
2007183209.tif 000003
【図２】
2007183209.tif 000004
【図３】
2007183209.tif 000005
【図４】
2007183209.tif 000006